(57)【特許請求の範囲】
【請求項１】
コンピュータによって実行される地理的位置に基づく情報検索方法であって、
モバイル端末のユーザに対応する必要情報及び地理的位置情報を取得し、
前記必要情報と、既定の地理的位置ゾーン閾値とカテゴリ情報とを対応付けている事前に構成されたマッピングであって、異なる既定の地理的位置ゾーン閾値と関連付けられている複数のカテゴリ情報を含むマッピングと、に基づいて、既定の地理的位置ゾーン閾値を探索し、
前記探索の後に、前記必要情報に基づいて、データベース中で製品情報を検索し、
前記検索により発見された製品情報をカテゴリに分類し、
前記カテゴリに基づいて、前記必要情報に対応する、製品タイプに関係する必要情報を取得し、
前記モバイル端末のユーザの前記地理的位置情報と、前記既定の地理的位置ゾーン閾値と、に基づいて、前記地理的位置ゾーン閾値内に入る、前記製品タイプに関係する前記必要情報に対応する対象情報を検索すること、
を備える情報検索方法。
【請求項２】
請求項１に記載の、地理的位置に基づく情報検索方法であって、
前記必要情報に基づいて、既定の地理的位置ゾーン閾値を探索することは、
前記必要情報が属している最も詳細なカテゴリレベルのカテゴリレベルを決定し、
前記最も詳細なカテゴリレベルのカテゴリレベルに対応する既定の地理的位置ゾーン閾値を探索すること、
を含む、情報検索方法。
【請求項３】
請求項１に記載の、地理的位置に基づく情報検索方法であって、更に、
モバイル端末のユーザに対応する必要情報及び地理的位置情報を取得する前に、前記モバイル端末のユーザによって送信された位置情報サービスリクエストを受信することを備え、前記位置情報サービスリクエストは、第１の端末に対応する必要情報を示すキーワードを含む、情報検索方法。
【請求項４】
請求項３に記載の、地理的位置に基づく情報検索方法であって、
前記モバイル端末のユーザに対応する必要情報を取得することは、
前記位置情報サービスリクエストから前記キーワードを抽出し、
前記モバイル端末のユーザに対応する必要情報を前記キーワードに基づいて取得するために、サーバのローカルデータベースを照会すること、
を含む、情報検索方法。
【請求項５】
請求項３に記載の、地理的位置に基づく情報検索方法であって、
前記モバイル端末のユーザに対応する必要情報を取得することは、
前記位置情報サービスリクエストから前記キーワードを抽出し、
前記キーワードを、前記モバイル端末のユーザに対応する必要情報として確立すること、
を含む、情報検索方法。
【請求項６】
請求項１に記載の、地理的位置に基づく情報検索方法であって、更に、
前記モバイル端末のユーザの前記地理的位置情報と、前記既定の地理的位置ゾーン閾値と、に基づいて、前記地理的位置ゾーン閾値内に入る前記製品タイプに関係する前記必要情報に対応する対象情報を検索した後に、前記発見された対象情報から、音声通信要件を満足させる対象情報を取得することを備える情報検索方法。
【請求項７】
請求項６に記載の、地理的位置に基づく情報検索方法であって、
前記発見された対象情報から、音声通信要件を満足させる対象情報を取得することは、
前記発見された対象情報に対応する既定の活動期間を取得し、
現時刻を含む活動期間を有する対象情報を、前記音声通信要件を満たす対象情報であると見なすこと、
を含む、情報検索方法。
【請求項８】
請求項１に記載の、地理的位置に基づく情報検索方法であって、更に、
前記モバイル端末によって送信された、前記地理的位置ゾーン閾値の修正を求めるリクエストを受信することを備える情報検索方法。
【請求項９】
請求項１に記載の、地理的位置に基づく情報検索方法であって、更に、
前記モバイル端末のユーザの前記地理的位置情報と、前記既定の地理的位置ゾーン閾値と、に基づいて、前記製品タイプに関係する前記必要情報に対応する対象情報を検索した後に、前記発見された対象情報を、前記モバイル端末のユーザのモバイル端末に提供することを備える情報検索方法。
【請求項１０】
地理的位置に基づく情報検索システムであって、
サーバであって、
モバイル端末のユーザに対応する必要情報及び地理的位置情報を取得し、
前記必要情報と、既定の地理的位置ゾーン閾値とカテゴリ情報とを対応付けた事前に構成されたマッピングであって、異なる既定の地理的位置ゾーン閾値と関連付けられている複数のカテゴリ情報を含むマッピングと、に基づいて、既定の地理的位置ゾーン閾値を探索し、
前記探索の後に、前記必要情報に基づいて、データベース中で製品情報を検索し、
前記検索により発見された製品情報をカテゴリに分類し、
前記カテゴリに基づいて、前記必要情報に対応する、製品タイプに関係する必要情報を取得し、
前記モバイル端末のユーザの前記地理的位置情報と、前記既定の地理的位置ゾーン閾値と、に基づいて、前記地理的位置ゾーン閾値内に入る、前記製品タイプに関係する前記必要情報に対応する対象情報を検索するように構成されているサーバ、を備える、
情報検索システム。
【請求項１１】
請求項１０に記載の、地理的位置に基づく情報検索システムであって、
前記必要情報に基づいて、既定の地理的位置ゾーン閾値を探索することは、
前記必要情報が属している最も詳細なカテゴリレベルのカテゴリレベルを決定し、
前記最も詳細なカテゴリレベルのカテゴリレベルに対応する既定の地理的位置ゾーン閾値を探索すること、
を含む、情報検索システム。
【請求項１２】
請求項１０に記載の、地理的位置に基づく情報検索システムであって、
前記サーバは、前記モバイル端末のユーザに対応する必要情報及び地理的位置情報を取得する前に、前記モバイル端末のユーザによって送信された位置情報サービスリクエストを受信するように構成され、前記位置情報サービスリクエストは、第１の端末に対応する必要情報を示すキーワードを含む、情報検索システム。
【請求項１３】
地理的位置に基づいて情報を検索するためのコンピュータプログラムであって、
モバイル端末のユーザに対応する必要情報及び地理的位置情報を取得するための機能と、
前記必要情報と、既定の地理的位置ゾーン閾値とカテゴリ情報とを対応付けた事前に構成されたマッピングであって、異なる既定の地理的位置ゾーン閾値と関連付けられている複数のカテゴリ情報を含むマッピングと、に基づいて、既定の地理的位置ゾーン閾値を探索するための機能と、
前記探索の後に、前記必要情報に基づいて、データベース中で製品情報を検索するための機能と、
前記検索により発見された製品情報をカテゴリに分類するための機能と、
前記カテゴリに基づいて、前記必要情報に対応する、製品タイプに関係する必要情報を取得するための機能と、
前記モバイル端末のユーザの前記地理的位置情報と、前記既定の地理的位置ゾーン閾値と、に基づいて、前記地理的位置ゾーン閾値内に入る、前記製品タイプに関係する前記必要情報に対応する対象情報を検索するための機能と、
をコンピュータによって実現させるコンピュータプログラム。
【請求項１４】
請求項１３に記載の、地理的位置に基づいて情報を検索するためのコンピュータプログラムであって、
前記必要情報に基づいて、既定の地理的位置ゾーン閾値を探索するための機能は、
前記必要情報が属している最も詳細なカテゴリレベルのカテゴリレベルを決定するための機能と、
前記最も詳細なカテゴリレベルのカテゴリレベルに対応する既定の地理的位置ゾーン閾値を探索するための機能と、
をコンピュータによって実現させることを含む、コンピュータプログラム。
【請求項１５】
請求項１３に記載の、地理的位置に基づいて情報を検索するためのコンピュータプログラムであって、更に、
前記モバイル端末のユーザに対応する必要情報及び地理的位置情報を取得する前に、前記モバイル端末のユーザによって送信された位置情報サービスリクエストを受信するための機能をコンピュータによって実現させ、前記位置情報サービスリクエストは、第１の端末に対応する必要情報を示すキーワードを含む、コンピュータプログラム。
【発明の詳細な説明】
【技術分野】
【０００１】
［関連出願の相互参照］
本出願は、あらゆる目的のために、参照によって本明細書に組み込まれる、発明の名称を「ＡＮ  ＩＮＦＯＲＭＡＴＩＯＮ  ＳＥＡＲＣＨＩＮＧ  ＭＥＴＨＯＤ  ＡＮＤ  ＳＥＲＶＥＲ  ＢＡＳＥＤ  ＯＮ  ＧＥＯＧＲＡＰＨＩＣ  ＬＯＣＡＴＩＯＮ（地理的位置に基づく情報検索方法及び情報検索サーバ）」とする、２０１２年５月１５日に出願された中国特許出願第２０１２１０１５１２６５．２号に基づく優先権を主張する。
【０００２】
本出願は、地理的位置に基づく情報検索方法及び情報検索システムに関する。
【背景技術】
【０００３】
モバイル機器、モバイルインターネット、及び無線インターネットの発展ゆえに、電子ショッピングは、有線方式の従来のウェブショッピングから無線方式のウェブショッピングに移行し始めている。要するに、有線接続を通じてインターネットを介してショッピングしていたユーザが、今や、無線接続を通じてインターネットに接続されたモバイル端末を使用してショッピングしている。例えば、ユーザは、モバイル端末を使用してショッピングウェブサイトにログインすることによって、インターネット上でショッピングをすることができる、又はユーザは、タブレットコンピュータなどのインテリジェントデバイスを介してショッピングウェブサイトクライアントを使用して、無線インターネット接続を通じてショッピングすることができる。
【０００４】
無線接続を通じたインターネットショッピングの発達に伴って、無線接続を通じてショッピングを提供しているウェブサイトは、地理的位置に基づくストア情報検索及び製品情報検索をユーザに提供することを期待されている、又は地理的位置に基づく何らかの製品割引及びストア割引を積極的にプッシュすることを期待されている。したがって、位置情報サービス（ＬＢＳ）が、ますます普及してきた。位置情報サービスは、２つの異なる意味を有する、すなわち、１）モバイル機器若しくはユーザの地理的位置を決定すること、又は２）位置に関係した様々な情報サービスを提供すること、を意味する。例えば、サービスは、Ｗｉ−Ｆｉユーザなどの、モバイル機器ユーザ又は無線ユーザの、現地理的位置を発見する。続いて、例えば、上海の６，３４０平方キロメートルの範囲内において、サービスは、モバイル機器ユーザ又は無線ユーザの現位置の１キロメートル範囲内に位置するホテル、映画館、図書館、ガソリンスタンドなどの名前及び住所を検索する。したがって、位置情報サービスは、位置情報を取得するために、無線通信ネットワーク（３Ｇネットワーク若しくはＣＤＭＡネットワークなど）、又は外部のポジショニング方法（全地球測位システム（ＧＰＳ）など）、又はＷｉ−Ｆｉアクセスポイントを使用する。
【０００５】
しかしながら、既存のＬＢＳアプリケーションは、最寄りの業者又は製品を検索するときに、固定の距離に基づいて製品又は業者を推薦するにすぎない。要するに、既存のＬＢＳアプリケーションは、ユーザの現地理的位置に基づいて、それを中心にとって固定の距離を半径にした円を描く。続いて、既存のＬＢＳアプリケーションは、円に取り囲まれた地理的区域内の製品又は業者をユーザに対して表示する、すなわちプッシュする。したがって、ユーザの地理的位置が変わらない限り、ユーザは、特定の周辺区域内の情報を、決まった形で見ることしかできない。例えば、周辺区域は、５００メートルに設定されているかもしれない。一般に、辺鄙な郊外に住んでいる者には、周辺区域情報が全く提供されず、大規模小売店の近くに住んでいる者に提供される周辺区域情報は、常にその同じ大規模小売店内からの製品情報のみであり、婦人服店の近くに住んでいる者に提供される周辺区域情報は、常に婦人服に関係しているだろう。その結果、地理的位置に基づく既存の位置情報サービスは、ユーザの地理的位置に基づく固定の区域内の情報を提供することに限られることが多く、地理的位置に基づく既存の位置情報サービスは、様々なユーザのニーズに基づいて、ユーザの満足度が高いだろう情報を柔軟に提供することができない。要するに、地理的位置に基づく位置情報サービスは、一般に、無線ショッピングのために動的に製品情報及び業者情報を効果的に提供することができない。
【図面の簡単な説明】
【０００６】
以下の詳細な説明及び添付の図面において、本発明の様々な実施形態が開示される。
【０００７】
【図１】地理的位置に基づく情報検索システムの一実施形態を示すシステムアーキテクチャの図である。
【０００８】
【図２】地理的位置に基づく情報検索方法の一実施形態を示す図である。
【０００９】
【図３】対象情報を検索する方法の一実施形態を示す図である。
【００１０】
【図４】様々な地理的位置ゾーン閾値範囲に関係する製品情報の一実施形態を示す図である。
【００１１】
【図５】地理的位置に基づく情報検索システムの一実施形態を示す構造図である。
【発明を実施するための形態】
【００１２】
本発明は、プロセス、装置、システム、合成物、コンピュータ読み取り可能なストレージ媒体に実装されたコンピュータプログラム製品、並びに／又は結合先のメモリに記憶された命令及び／若しくは結合先のメモリによって提供される命令を実行するように構成されたプロセッサなどのプロセッサのような、数々の形態で実現することができる。本明細書では、これらの実現形態、又は本発明がとりえるその他のあらゆる形態が、技術と称されてよい。総じて、開示されたプロセスのステップの順序は、本発明の範囲内で変更されてよい。別途明記されない限り、タスクを実施するように構成されるものとして説明されるプロセッサ又はメモリなどのコンポーネントは、所定時にタスクを実施するように一時的に構成された汎用コンポーネントとして、又はタスクを実施するように製造された特殊コンポーネントとして実現されてよい。本明細書で使用される「プロセッサ」という用語は、コンピュータプログラム命令などのデータを処理するように構成された１つ以上のデバイス、回路、並びに／又は処理コアを言う。
【００１３】
本発明の原理を例示した添付の図面とともに、以下で、本発明の１つ以上の実施形態の詳細な説明が提供される。本発明は、このような実施形態との関わりのもとで説明されるが、いずれの実施形態にも限定されない。本発明の範囲は、特許請求の範囲によってのみ限定され、本発明は、数々の代替形態、変更形態、及び均等物を包含している。以下の説明では、本発明の完全な理解を与えるために、数々の具体的詳細が明記されている。これらの詳細は、例示を目的として提供されたものであり、本発明は、これらの詳細の一部又は全部を伴わずとも、特許請求の範囲にしたがって実施されえる。明瞭さを期するために、本発明に関係した技術分野においてで知られる技術要素は、本発明が不必要に不明瞭にされないように、詳細な説明を省略されている。
【００１４】
本出願は、モバイル端末のユーザがその地理的位置による制限を受けないように、必要情報に対応する地理的位置ゾーン閾値を探索することによって、地理的位置ゾーン閾値内の対象情報を提供する。モバイル端末ユーザが受信する情報は、特定の範囲内の情報であり、モバイル端末ユーザは、必要情報に基づいて、異なるタイプの情報を異なる範囲内から受信することができる。
【００１５】
図１は、地理的位置に基づく情報検索システムの一実施形態を示すシステムアーキテクチャの図である。システム１００は、モバイルインターネット又は無線ネットワーク３０を介してサーバ２０とやり取りする複数のモバイル端末１０を含む。ユーザ（すなわち、モバイル端末ユーザ）は、ショッピングするために、サーバ２０によって提供されるショッピングウェブサイトにモバイル端末１０を使用してログインする。
【００１６】
ショッピングウェブサイトを閲覧するとき、及び最寄りの業者情報又は製品情報を検索するときに、ユーザは、モバイル端末１０を通じて位置情報サービスリクエストを送信する。位置情報サービスリクエストは、サーバ２０によって受信される。位置情報サービスリクエストは、ユーザが提示した必要情報を取得するために使用される。例えば、必要情報は、様々な種類の製品情報又は業者情報を含む。必要情報は、対応する既定の地理的位置ゾーン閾値をデータベースから発見するために使用される。例えば、必要情報は、衣料、食品、及びエンターテイメントに関係しており、サーバ２０は、必要情報に対応する既定の地理的位置ゾーン閾値を見つける。例えば、既定の地理的位置ゾーン閾値は、５００ｍ、１００ｍ、２，０００ｍなどである。サーバ２０上のデータベースは、ネットワーク小売店に関係した情報を記憶している。例えば、ネットワーク小売店に関係した情報は、小売店によって提供された連絡先情報、営業時間、及びネットワーク小売店に対応する実在ショップの情報を含む。データベースは、また、地理的位置ゾーン閾値の対応表、各ストアの実在ショップについての具体的な地理的位置情報、及び製品情報も記憶している。サーバ２０は、各必要情報に対応する対象情報をデータベースのなかで検索するために、モバイル端末１０から受信された地理的位置情報と、地理的位置ゾーン閾値とを使用する。例えば、対象情報は、衣料、食品、エンターテイメント、又はこれらの任意の組み合わせに関係した情報を含む。サーバは、対象情報をモバイル端末に伝送し、モバイル端末は、対象情報を表示する。例えば、「衣料」についての地理的位置ゾーン閾値が発見されたときに、その地理的位置ゾーン閾値が２，０００メートルに対応しているとする。したがって、サーバは、ユーザの地理的位置情報を中心として地理的位置ゾーン閾値を半径とした区域内にある実在ショップの地理的位置情報をデータベースのなかで検索する。周辺区域内において実在ショップの情報が発見された場合は、その実在ショップ情報は、ユーザのモバイル端末１０に提供される。
【００１７】
本出願において、モバイル端末は、無線キャリアの無線通信ネットワークを使用する様々な種類のモバイル端末を言う。例えば、モバイル端末は、ショッピングするために、モバイルネットワークを介してショッピングウェブサイトサーバにアクセスする。モバイル端末は、携帯電話、個人通信サービス（ＰＣＳ）電話、又はコードレス電話を含む。また、モバイル端末は、例えばＷｉ−Ｆｉなどの無線ネットワークを使用することができる様々な種類のモバイル端末に関するものであり、ショッピングウェブサイトサーバにアクセスしてショッピングするために、無線インターネットを利用している。例えば、モバイル端末は、Ｗｉ−Ｆｉアクセスを伴うノートブックパソコン、ｉＰｈｏｎｅなどの携帯電話、ｉＰａｄ、及びＷｉ−Ｆｉアクセスを有する携帯情報端末（ＰＤＡ）を含む。
【００１８】
図２は、地理的位置に基づく情報検索方法の一実施形態を示す図である。方法２００は、図５で論じられるサーバ５００によって実行に移すことができる。方法２００は、以下を実施する。
【００１９】
ステップ２１０では、サーバは、モバイル端末ユーザに対応する必要情報及び地理的位置情報を取得する。
【００２０】
サーバは、必要情報及び地理的位置情報を取得する前に、ｉＰｈｏｎｅなどのモバイル端末からユーザによって送信された位置情報サービスリクエストを受信する。例えば、ユーザは、ショッピングウェブサイトクライアントにログインした後、ウェブページを閲覧し、ウェブページ上に表示される「最寄り」、「最寄り」、「すぐ近く」、又は位置情報サービスを開始させる同様なキーワードをクリックする。モバイル端末は、位置情報サービスリクエストをサーバに送信する。位置情報サービスリクエストは、「最寄り」、「近隣」、又は「すぐ近く」などのキーワード情報を含む。キーワード「最寄り」、「近隣」、及び「すぐ近く」に対応する位置情報サービスは、サーバによって事前に定められてユーザに提供されたポジショニングサービスである。位置情報サービスは、第１の端末に対応する必要情報を示すために使用される。
【００２１】
サーバは、位置情報サービスリクエストを受信した後、キーワードを抽出し、当該キーワードに基づいて、ユーザの既定の必要情報をデータベース中で検索する。既定の必要情報は、ユーザが現在好んでいる製品又は業者に関係する（すなわち、製品タイプの傾向が表示された）情報である。例えば、ユーザＡが現在好んでいる製品情報のタイプが、飲料に関係する情報であるとする。関連の業者情報又は製品情報がデータベース中で発見された場合、この必要情報は、クエリインデックス情報として機能する。例えば、サーバとユーザとの間には、デフォルトの設定が存在し、「最寄り」、「近隣」、又は「すぐ近く」などのキーワード情報を含む位置情報サービスリクエストをユーザが送信した場合、当該位置情報サービスリクエストに関係した発見されたユーザの必要情報は、エンターテイメント、ショッピング、若しくは飲食の業者カテゴリ、又は飲料、衣料などに関係する製品情報に対応している。サーバのデータベースは、様々なタイプの上記の情報を有することに加えて、（キーワード「最寄り」、「近隣」、又は「すぐ近く」をクリックするなどによって）サーバによって提供された位置情報サービスが送信されたときの、ユーザに対応する必要情報も含んでいる。必要情報は、サーバ、及び各モバイル端末のユーザによって、事前に決定されている。したがって、ユーザの必要情報は、サーバ及びユーザによって事前に決定された製品情報又は業者情報に関係するものである。例えば、事前に決定された必要情報は、「最寄り」を選択又はクリックした後に発行される位置情報サービスリクエストに応答してユーザに送信される。サーバは、モバイル端末によって送信された位置情報サービスリクエストを受信した後、及び当該位置情報サービスリクエストを分析してキーワード「最寄り」を抽出した後、例えば最寄り業者の情報：飲食、エンターテイメント、及びショッピングなどの、事前に決定された必要情報をローカルデータベースから取り出す。
【００２２】
一部の実施形態では、サーバは、必要情報を取得する前に、以下も実施する。
【００２３】
サーバは、モバイル端末によって送信された位置情報サービスリクエストを受信する。位置情報サービスリクエストは、キーワードを含む。
【００２４】
したがって、モバイル端末ユーザ操作に対応する必要情報を受信することは、サーバが、位置情報サービスリクエストからキーワードを抽出し、モバイル端末ユーザに対応する必要情報を取得するためにローカルデータベースを検索することを含む。
【００２５】
一部の実施形態では、ユーザは、また、クライアント上に提供された製品閲覧機能を使用し、ウェブページ上に表示された最寄りの製品情報、業者情報、及び割引情報を閲覧する。ユーザは、カテゴリを含む位置情報サービスリクエストを送信する。例えば、ユーザは、クライアントウェブページ上の情報カテゴリリストを選択して当該リストを開き、当該リスト上の衣料−婦人服−セータを閲覧して「セータ」カテゴリをクリックし、位置情報サービスリクエストをサーバに送信する。この時点で、位置情報サービスリクエストは、キーワード「セータ」を含む。キーワード「セータ」を含む位置情報サービスリクエストを受信した後、サーバは、この位置情報サービスリクエストを分析し、キーワード「セータ」を識別する。サーバは、当該キーワードを、ユーザの必要情報、すなわちセータであると見なす。必要情報は、ユーザが現在、セータカテゴリのなかの製品に関係する情報を受信することを希望していることを示している。
【００２６】
一部の実施形態では、サーバは、必要情報を取得する前に、以下も実施する。
【００２７】
サーバは、モバイル端末によって送信された位置情報サービスリクエストを受信する。位置情報サービスリクエストは、キーワードを含む。
【００２８】
したがって、モバイル端末ユーザに関係する必要情報を取得することは、位置情報サービスリクエストからキーワードを抽出することと、当該キーワードをモバイル端末ユーザに関係する必要情報として確立することとを含む。
【００２９】
一部の実施形態では、ユーザは、また、ユーザの地理的位置の近隣における製品情報又は業者情報についてのキーワードを入力するために、クライアントページ上に提供された検索ボックスを使用する。例えば、ユーザは、「１００％果汁桃ジュース」又は「コカコーラ」などの、製品情報に関係するキーワードを検索ボックスに入力し、「検索」ボタンをクリックして位置情報サービスリクエストを送信する。サーバは、位置情報サービスリクエストを受信すると、位置情報サービスリクエストを分析してキーワードを識別する。サーバは、識別されたキーワードを必要情報であると見なす。必要情報は、ユーザが現在、「１００％果汁桃ジュース」カテゴリの製品に関係する情報を取得することを、又は「コカコーラ」ブランドに関係する製品情報を取得することを希望していると解釈される。
【００３０】
一部の実施形態では、サーバは、必要情報を取得する前に、以下も実施する。
【００３１】
サーバは、モバイル端末によって送信された位置情報サービスリクエストを受信するように構成される。位置情報サービスリクエストは、キーワードを含む。
【００３２】
したがって、モバイル端末ユーザに対応する必要情報を取得することは、位置情報サービスリクエストからキーワードを抽出することと、このキーワードをモバイル端末ユーザに対応する必要情報として確立することとを含む。
【００３３】
したがって、ユーザに対応する必要情報は、ユーザによって開始された位置情報サービスリクエストに含まれており、したがって、サーバは、必要情報をデータベースから取得する必要がない。
【００３４】
要するに、サーバは、位置情報サービスリクエストを受信した後、ローカルデータベースから必要情報を取得するように、又はユーザによって発行された位置情報サービスリクエストから必要情報を取得するように構成される。一部の実施形態では、サーバは、地理的位置情報を提供する既存のポジショニングサーバなどの別のサーバから、ユーザの地理的位置を取得する。
【００３５】
ステップ２２０では、サーバは、必要情報に基づいて、既定の地理的位置ゾーン閾値を探索する。
【００３６】
一部の実施形態では、サーバは、例えば、エンターテイメント、ショッピング、及び飲食小売店などの様々なカテゴリについての情報、又は飲料、衣料、若しくはデジタル機器などの様々な製品カテゴリに関係する情報などの、必要情報を取得するときに、当該必要情報に基づいて、対応する地理的位置ゾーン閾値を探索する。例えば、受信された位置情報サービスリクエストのなかのキーワードが、「最寄り」、「すぐ近く」、及び「近隣」であるとする。必要情報が飲食及び映画である場合、サーバは、飲食及び映画の業者カテゴリの業者についての情報を取得する。サーバは、必要情報をクエリインデックス情報として使用するとともにデータベースのなかの対応表（以下で示される表１及び表２を参照せよ）を使用して、情報が属している最も詳細なカテゴリレベルを決定する。カテゴリレベル地理的位置ゾーン閾値対応表は、具体的な製品が属しているカテゴリレベルに基づいて編成される。例えば、地理的位置ゾーン閾値対応表は、以下の表１及び表２に示されるように、業者が属しているカテゴリレベルに基づいて編成される。例えば、サーバは、表２において「飲食」がどのレベル１カテゴリに属しているかを決定する。サーバは、また、「飲食」がどのレベル２カテゴリに属しているかも決定する。サーバが、表２において対応するレベル２カテゴリを発見しなかった場合、「飲食」が属している最も詳細なカテゴリレベルは、レベル１カテゴリである。したがって、飲食に対応して取得される地理的位置ゾーン閾値は、表２に示されるように、１，５００メートルである。サーバは、表２において「映画」がどのレベル１カテゴリに属しているかを決定する。この例では、「映画」は、レベル１カテゴリ「娯楽＆エンターテイメント」に属している。サーバは、また、映画がどのレベル２カテゴリに属しているかも決定する。この例では、映画は、「映画館」に属している。サーバは、映画がどのレベル３カテゴリに属しているかを決定する。この例では、映画が属している最も詳細なカテゴリがレベル２カテゴリレベルであるので、サーバは、レベル３カテゴリを発見できない。したがって、映画に対応して取得される地理的位置ゾーン閾値は、３００メートルである。必要情報は、必要情報に対応する既定の地理的位置ゾーン閾値（１，５００メートル又は３００メートル）を探索するために使用される。
【００３７】
一部の実施形態では、例えば、ユーザは、ショッピングウェブサイト上のカテゴリリストを閲覧する。カテゴリリストは、ユーザが膨大な数の商品のなかをナビゲートすることを助けるために、ショッピングウェブサイトによって提供される。リストのなかの各カテゴリは、（例えば、製品の売り手によって指定されるように、又は既知の分類技術にしたがってシステムによって自動的に分類されるように、）そのカテゴリに属している特定の製品に対応している。ユーザは、ショッピングウェブサイト上において雑貨又はセータなどのカテゴリを選択し、位置情報サービスリクエストを発行する。必要情報は、「雑貨」又は「セータ」である。この時点で、サーバは、必要情報を使用して、「雑貨」又は「セータ」の製品カテゴリのなかの製品に関する情報を検索し、データベースの中の対応表（表１及び表２を参照せよ）を使用して、必要情報が属している最も詳細なカテゴリを決定する。例えば、サーバは、レベル１を、必要情報「雑貨」が属している最も詳細なカテゴリであると決定する。サーバは、雑貨のレベル１カテゴリに基づいて、対応する地理的位置ゾーン閾値１，５００メートルを取得する。必要情報がセータである場合、サーバは、当該情報が属している最も詳細なカテゴリがレベル３であると決定する。２，０００メートルが、表１において発見される対応する地理的位置ゾーン閾値であるので、サーバは、セータのレベル３カテゴリに基づいて、対応する地理的位置ゾーン閾値である２，０００メートルを取得する。
【００３８】
一部の実施形態では、ユーザは、また、自分が探している製品情報を検索するために、ショッピングウェブサイトクライアント上に提供されたユーザインターフェースツール（例えば、モバイルアプリケーション又はウェブブラウザなどのクライアントソフトウェア上に表示された検索ボックス）を使用する。例えば、ユーザは、製品情報キーワード「１００％果汁桃ジュース」を検索ボックスに入力し、モバイル端末に、位置情報サービスリクエストを発行させる。位置情報サービスリクエストは、キーワード「１００％果汁桃ジュース」を含み、これが、必要情報に対応している。リクエストを受信した後、サーバは、位置情報サービスリクエストを分析してキーワードを識別し、この場合は「１００％果汁桃ジュース」である必要情報を取得する。サーバは、「１００％果汁桃ジュース」カテゴリのなかの製品に関係する情報を検索する。サーバは、データベースのなかの対応表に基づいて、「１００％果汁桃ジュース」が属しているレベル１カテゴリを決定し、必要情報「１００％果汁桃ジュース」を、クエリインデックス情報として使用する。対応表は、表１及び表２に関係している。例えば、必要情報「１００％果汁桃ジュース」は、レベル１カテゴリ：雑貨に属している。サーバは、次いで、必要情報「１００％果汁桃ジュース」が属しているレベル２カテゴリを決定する。例えば、「１００％果汁桃ジュース」は、レベル２カテゴリ：飲料に属している。続いて、サーバは、「１００％果汁桃ジュース」が属しているレベル３カテゴリを決定する。サーバが、レベル３カテゴリを発見できなかった場合、「１００％果汁桃ジュース」が属している最も詳細なカテゴリレベルは、レベル２である。したがって、飲料が、レベル２カテゴリであるゆえに、サーバは、例えば３００ｍなどの、カテゴリレベル２：飲料に対応する地理的位置ゾーン閾値を選択するように構成される。要するに、表１の第２行目における記録に対応する地理的位置ゾーン閾値が、必要情報に対応しており、必要情報：１００％果汁桃ジュースの対象情報飲料に対応する地理的区域を提供する働きをする。
【００３９】
位置情報サービスリクエスト中のキーワード「１００％果汁桃ジュース」が識別された後、ユーザに対応する必要情報に対応して得られる製品カテゴリは、１つの製品カテゴリである。キーワードを分析及び識別した後、サーバは、複数の製品カテゴリに属している必要情報を得る。例えば、モバイル端末によって発行された位置情報サービスリクエストを受信した後、サーバは、位置情報サービスリクエストのなかのキーワードに基づいて、必要情報「コカコーラ」を取得する。この場合、必要情報は、具体的なブランド名に関係するものであり、サーバは、必要情報がどの製品情報カテゴリに関係しているのかの確証を得ることができない。なぜならば、例えば、炭酸飲料のコカコーラに関係した製品カテゴリ又はコカコーラロゴの衣料に関係した製品カテゴリのように、２つ以上の製品カテゴリが存在するからである。この場合、サーバは、先ず、「コカコーラ」に関係する製品情報を製品情報データベースのなかで検索する。サーバは、製品情報を分類する。分類されたコカコーラは、飲料のコカコーラ又は衣料のコカコーラに関係するものである。要するに、サーバが製品カテゴリを定めることを可能にしない「コカコーラ」などのキーワードの場合、サーバは、例えばコカコーラ飲料又はコカコーラ衣料などのいずれの製品カテゴリに関係しているだろうかを、データベースから決定する。次いで、サーバは、可能性のある製品カテゴリを、製品情報として再び機能させるために使用する。続いて、データベースのなかの対応表（表１及び表２を参照せよ）を使用して、サーバは、必要情報が属している最も詳細なカテゴリレベルを決定する。一部の実施形態では、サーバは、必要情報が、レベル１カテゴリ：雑貨に属していると決定する。次いで、サーバは、コカコーラが、例えばレベル２カテゴリ：飲料などのいずれのレベル２カテゴリに属しているかを決定する。次いで、サーバは、コカコーラが、例えばレベル３カテゴリ：炭酸飲料などのいずれのレベル３カテゴリに属しているかを決定する。したがって、サーバは、コカコーラが属している最も詳細なカテゴリレベルに対応するカテゴリレベルがレベル３の炭酸飲料であると決定し、サーバは、当該レベル３カテゴリに対応する地理的位置ゾーン閾値を選択する。また、サーバは、必要情報「コカコーラ」が属しているかもしれない製品カテゴリに基づいて、必要情報「コカコーラ」がレベル１カテゴリ：衣料にも属していると決定する。当該レベル１カテゴリ：衣料は、必要情報「コカコーラ」が属している最も詳細なカテゴリレベルのカテゴリレベルに対応している。したがって、サーバは、レベル１カテゴリ：衣料に対応する地理的位置ゾーン閾値も選択する。この例では、サーバは、必要情報に基づいて、当該必要情報に対応する既定の地理的位置ゾーン閾値を探索する。既定の地理的位置ゾーン閾値は、１００メートルの値及び１，０００メートルの値に対応している。
【００４０】
したがって、カテゴリレベルに基づいて、必要情報に対応する既定の地理的位置ゾーン閾値を探索した後、尚且つモバイル端末ユーザの地理的位置情報と、既定の地理的位置ゾーン閾値とを使用して、地理的位置ゾーン閾値内に入る、必要情報に対応する対象情報を検索する前に、サーバは、必要情報に基づいて、データベースのなかで製品情報を検索し、この製品情報をカテゴリに分類し、このカテゴリに基づいて、製品タイプに関係した必要情報を取得する。
【００４１】
したがって、必要情報に基づいて、当該必要情報に対応する既定の地理的位置ゾーン閾値を探索することは、必要情報に基づいて、当該情報が属している最も詳細なカテゴリレベルのカテゴリレベルを決定することと、既定の地理的位置ゾーン閾値が必要情報に対応するように、最も詳細なカテゴリレベルのカテゴリレベルに対応する既定の地理的位置ゾーン閾値を探索することと、を含む。
【００４２】
一部の実施形態では、表１及び表２に示されるように、様々な製品カテゴリ又は業者情報に、すなわち必要情報が属しているカテゴリレベルに対応付けて地理的位置ゾーン閾値を記憶することに、重点が置かれている。必要情報に対応する地理的位置ゾーン閾値は、ユーザに対応する個別の設定を有する。例えば、ユーザＡ及びユーザＢは、異なる権限レベルを有するユーザである。ユーザＡの権限レベルはレベル１であり、ユーザＢの権限レベルはレベル２である。異なる権限レベルには異なる地理的位置ゾーン閾値が割り当てられるので、ユーザＡ及びユーザＢに対して設定される閾値は異なる。要するに、データベースには、ユーザごとに特化された対応表が記録されて存在している。データベースに記録されている対応表は、例えば、ユーザ情報と、カテゴリ分けされた内容と、対応する地理的位置ゾーン閾値とを記録している。カテゴリ分けされた内容は、カテゴリレベル１、２、及び３に分割された製品情報又は業者情報を含む。一部の実施形態では、様々な製品情報又は業者情報、すなわち必要情報に対応する地理的位置ゾーン閾値は、どのユーザに対しても一様に設定されている。
【００４３】
一部の実施形態では、サーバは、製品を売りに出すときにサーバデータベースにアップロードされた製品又は業者の特性又は性質に基づいて、製品情報又は業者情報を事前に複数のレベルにカテゴリ分けする。更に、各カテゴリは、更に分割され、製品及び業者は、複数のレベルに属する複数のカテゴリレベルに分割される。要するに、データベースから製品属性が取得され、製品がカテゴリ分けされ、分けられたカテゴリのレベルに対応する地理的位置ゾーン閾値が設定されて保存される。例えば、雑貨に関係する製品情報は、３つのレベルのカテゴリに更に分割されるかもしれない。例えば、雑貨に関係した製品情報は、以下のように分割されるかもしれない。すなわち、雑貨に対応するレベル１カテゴリが、複数のレベル２カテゴリに更に分割され、そのうちの１つが飲料であり、更に複数のレベル３カテゴリに分割され、そのうちの１つが炭酸飲料である。レベル３カテゴリのその他の例として、１００％生絞りジュース、乳児用果汁飲料などが挙げられる。一部の実施形態では、製品情報は、４レベル以上に分割される。レベルの数は、実際のニーズに基づく。したがって、サーバが、現ユーザの必要情報を取得した後、例えば、ユーザは、製品：炭酸飲料に関する位置情報を見たいという希望を示すメッセージを自発的に発行する。この場合、サーバは、必要情報：炭酸飲料に基づいて、最も詳細なカテゴリレベルを探索する。例えば、最も詳細なカテゴリレベルは、対応する地理的位置ゾーン閾値が１００メートルであるレベル３カテゴリである。ユーザが、「近隣」位置情報サービスを閲覧している場合、サーバによって取得される必要情報は、雑貨などの既定の製品情報又は業者情報であり、雑貨が属している最も詳細なカテゴリレベルのカテゴリレベルは、レベル１である。対応する地理的位置ゾーン閾値は、５００メートルである。例えば、５００メートルは、表１の第３行目に記録されている地理的位置ゾーン閾値である。したがって、既定の地理的位置ゾーン閾値は、サーバに登録された製品情報又は業者情報が既存の製品又は業者の特性及び性質に基づいてカテゴリ分けされた後に、異なるカテゴリレベルに対して設定される。要するに、異なるカテゴリレベルは、異なる地理的位置ゾーン閾値に対応している。別の例では、サーバは、製品及び／又は業者の特性及び性質に基づいて、製品及び／又は業者をカテゴリ分けする。製品及び／又は業者は、サーバ上に既に登録されているショップによって提供された製品及び／又は業者情報を分析することによって、既存のカテゴリ分けルールに基づいてカテゴリ分割される。複数カテゴリレベルへの製品又は業者の分割は、当業者によって理解されている。したがって、複数のカテゴリレベルへの製品又は業者の分割に関する説明は、簡潔さを期するために省略されている。
【００４４】
一部の実施形態では、カテゴリレベル及び地理的位置ゾーン閾値を含む対応表において、カテゴリレベルは、複数のレベルに分割されている。カテゴリレベルが詳細であるほど、提供される地理的位置ゾーン閾値の距離も細かくなる。例えば、必要情報（例えば、「自転車の空気入れ」）が属している最も詳細なカテゴリレベルのカテゴリレベルが、雑貨（レベル１カテゴリ）である場合、雑貨に対応する地理的位置ゾーン閾値は、５００メートルである。別の一態様として、必要情報（例えば、「コカコーラ」）が属している最も詳細なカテゴリレベルが、炭酸飲料（レベル３カテゴリ）である場合、炭酸飲料に対応する地理的位置ゾーン閾値は、１００メートルである。したがって、事前に確立されたカテゴリレベル対地理的位置ゾーン閾値の対応表を使用し、ユーザの必要情報に基づいて、ユーザの地理的位置から妥当な範囲内にある情報を柔軟に検索することが可能である。例えば、様々な必要情報が属している様々なカテゴリレベルについて、様々な地理的位置ゾーン閾値内にある情報が発見される。したがって、１つの固定の範囲内の情報のみが提供される従来の状況が回避される。
【００４５】
一部の実施形態では、具体的な製品が属しているカテゴリレベルに基づいて、カテゴリレベル対地理的位置ゾーン閾値の対応表が編成される。一部の実施形態では、以下の表１及び表２に示されるように、対応表は、業者が属しているカテゴリレベルに基づいて編成される。
【表１】
0006051295.tif 000002
【表２】
0006051295.tif 000003
【００４６】
表１について、図４は、異なる地理的位置ゾーン閾値範囲に関係する製品情報の一実施形態を示す図である。例えば、対象情報は、炭酸飲料、半径Ａ、セータ、半径Ｃなどである。この例では、半径Ａは、１００メートルに対応し、半径Ｃは、２，０００メートルに対応する。ユーザにとっての必要情報が属している最も詳細なカテゴリレベルのカテゴリレベルは、地理的位置ゾーン閾値範囲内にある対象情報を選択するために使用される。対象情報は、クライアントに提供される。したがって、ユーザは、柔軟に情報を提供される。ユーザは、その地理的位置を中心とした固定の範囲内にある対象情報のみを受信することを必ずしも強要されるとは限らない。
【００４７】
一部の実施形態では、ユーザは、クライアントを介してサーバ上においてカテゴリレベルに対応する地理的位置ゾーン閾値を設定する。要するに、サーバは、モバイル端末によって発行された、地理的位置ゾーン閾値の修正を求めるリクエストを受信することもある。ユーザは、希望する対象情報を取得するために、モバイル端末を使用して具体的な地理的位置ゾーン閾値を設定する。例えば、ユーザは、業者が沢山ある繁華街にいるときは、飲料を得るための地理的位置ゾーン閾値を減少させる。減少されたゾーン閾値は、ユーザが飲料を見つけやすくする。サーバは、地理的位置ゾーン閾値の修正を求めるリクエストを受信した後、修正された値を対応表に記憶させる。
【００４８】
２３０では、サーバは、モバイル端末ユーザの地理的位置情報と、既定の地理的位置ゾーン閾値とに基づいて、地理的位置ゾーン閾値内に入る、必要情報に対応する対象情報を検索する。
【００４９】
一部の実施形態では、サーバは、ユーザのモバイル端末から取得された地理的位置情報を使用し、地理的位置ゾーン閾値を探索する。例えば、飲食のための地理的位置ゾーン閾値は１，５００メートルであり、映画のための地理的位置ゾーン閾値は３００メートルである。サーバは、ユーザの地理的位置情報に対応する地理的位置を円の中心に、そして地理的位置ゾーン閾値１，５００メートルを円の半径にとり、その円内にある、必要情報：飲食に対応する飲食業者の対象情報を選択する。要するに、サーバは、その円内にある、飲食に関係する実在ショップに関係する地理的位置情報を取得する。サーバは、ユーザの地理的位置情報に対応する地理的位置を円の中心に、そして地理的位置ゾーン閾値３００メートルを円の半径にとる。サーバは、その円内にある、必要情報に対応する映画館についての対象情報をデータベースから選択する。要するに、サーバは、円内にある、映画を提供する実在ショップの地理的位置情報を取得し、円内に入るそれらのショップに関する地理的位置情報をクライアントに提供する。サーバは、また、実在ショップのショップ情報も提供する。一部の実施形態では、クライアントに送信される対象提供情報は、上述された地理的位置情報及びショップ情報に加えて、製品情報も含んでいる。
【００５０】
一部の実施形態では、発見された複数の実在ショップについての地理的位置情報及びショップ情報を受信した後、サーバは、それらのショップを、例えば飲食が映画の前にくるなどの既定の順序に基づいて並べてリストにする。サーバは、リストをクライントに送信する、又はサーバは、地理的位置情報に記録された地理的距離に基づいてショップを順番に並べたショップリストを作成する。一部の実施形態では、地理的位置情報は、マップ上のマーカポイントの形態でクライントに送信される。マーカポイントをマップ上に記すやり方は、当業者に理解されており、その説明は、簡潔さを期するために省略される。
【００５１】
一部の実施形態では、サーバは、ユーザのモバイル端末に関する取得された地理的位置情報と、探索された地理的位置ゾーン閾値（例えば、セータの場合、地理的位置ゾーン閾値は１００メートルである）とを、以下のように使用する。サーバは、ユーザの地理的位置情報に対応する地理的位置を円の中心にとり、地理的位置ゾーン閾値１００メートルを円の半径にとる。円内にある、必要情報：セータに対応するセータについての対象情報が、データベースから選択される。要するに、サーバは、円内にある、実在ショップに関する地理的位置情報を取得する。検索を行った後、サーバは、円内に入るそれらのショップに関する地理的位置情報をクライアントに提供する。サーバは、また、セータを提供する実在ショップについてのショップ情報も提供する。一部の実施形態では、クライアントに送信される対象提供情報は、上述された地理的位置情報及びショップ情報に加えて、セータ製品の簡単な説明などの製品情報も含んでいる。
【００５２】
一部の実施形態では、サーバは、ユーザのモバイル端末に関する取得された地理的位置情報と、探索された地理的位置ゾーン閾値（例えば、１００％果汁桃ジュースの場合、地理的位置ゾーン閾値は３００メートルである）とを、上述されたプロセスと同様なプロセスを使用して使用する。サーバは、必要情報に対応する対象情報：１００％果汁桃ジュースをデータベースから選択し、地理的位置ゾーン閾値内に入るショップの地理的位置情報をクライアントに提供する。サーバは、また、これらの実在ショップについてのショップ情報も提供する。一部の実施形態では、クライアントに送信される対象提供情報は、上述された地理的位置情報及びショップ情報に加えて、１００％果汁桃ジュースの簡単な説明などの製品情報も含んでいる。
【００５３】
一例では、コカコーラについて設定される地理的位置ゾーン閾値は、１００メートル及び１，０００メートルである。サーバは、ユーザの地理的位置情報に対応する地理的位置を円の中心にとり、地理的位置ゾーン閾値１００メートル及び１，０００メートルを円の半径にとる。サーバは、その円内にある、必要情報に対応する対象情報を選択する。要するに、サーバは、円内に入るショップの地理的位置情報をクライアントに提供する。一部の実施形態では、サーバは、また、実在ショップについてのショップ情報も提供する。
【００５４】
発見された複数の実在ショップについての地理的位置情報及びショップ情報を受信した後、サーバは、それらのショップを、例えば飲料が衣料の前にくるなどの既定の順序に基づいて並べてリストにし、当該リストをクライアントに送信する、又はサーバは、地理的位置情報に記録された地理的距離に基づいてショップを順番に並べたショップリストを作成する。サーバは、また、必要情報に対応する製品情報を含むショップ情報も表示する。情報は、マップ上にマーカポイントを記した形態でクライアントに送信されることもある。例えば、既存のマーカポイント情報は、必要情報に対応する製品情報についてのショップ情報を含む。
【００５５】
一部の実施形態では、ショッピングウェブサイト上で製品を提供しているショップは、ショップ情報の入力管理を行うためにコンピュータ又はその他の有線機器を使用することに加えて、３Ｇハンドセットなどのモバイル通信端末も、製品情報をショップに入力するために使用する。ショップは、ショップの製品に関する特性情報を取得するために、モバイル通信端末の通信モジュール及び情報取得モジュール（例えば、録画モジュール）を使用する。モバイル通信端末の通信モジュールを通じて、通信モジュールは、特性情報に対応する製品情報を取得する。一部の実施形態では、更なる製品情報を入力することも可能である。形成される製品情報は、業者ショップが位置しているサーバへ、モバイル通信ネットワークを通じて送信される。一部の実施形態では、ネットワークショップの関連ショップ情報は、サーバデータベースに記憶される。ショップ情報は、連絡先電話番号情報、営業時間、ネットワークショップに対応する実在ショップに関する情報、実在ショップに関係する地理的位置情報、地理的位置ゾーン閾値対応表、及び製品情報を含む。一部の実施形態では、製品情報は、各種類の製品の名称、コード、概要情報、及び属性を含む。
【００５６】
製品情報及びショップ情報は、サーバデータベースのなかの同じデータ表に保存される。一部の実施形態では、製品情報及びショップ情報は、異なるデータベースに保存される、又は１つ大きなデータベースのなかの２つのデータ表に保存される。一部の実施形態では、例えば、製品情報データ表が、サーバによって保存された製品に関係した情報を記憶する。一部の実施形態では、製品情報は、製品コード情報、製品概要情報、及び製品属性を含む。製品コード情報は、提供者によって製品情報が入力されるときにその製品についてサーバによって自動的に生成されるものである。製品コード情報は、製品にラベルを付けるために使用される。サーバのショップ情報データ表は、ショップ名、ショップによって提供される製品の製品コード情報、連絡先情報、営業時間、ネットワークショップに対応する実在ショップに関する地理的位置情報、実在ショップに関する地理的位置情報、地理的位置ゾーン閾値対応表、及びショップの提供者における音声伝達モードを保存する。例えば、音声伝達モードでは、ユーザは、店主に電話することができる。要するに、製品情報及びショップ情報は、１つのデータベースのなかの２つのデータ表に個別に記憶される。製品情報データ表は、製品情報に対応する提供者の連絡先情報、提供者の営業時間、製品に対応する実在ショップ情報、及びその他の同様な情報を記憶していないので、サーバは、製品情報データ表とショップ情報データ表との間の対応関係に基づいて、ショップ情報データ表からこの情報を抽出する。
【００５７】
一部の実施形態では、製品情報及びショップ情報は、例えば製品情報データベース及びショップ情報データベースなどの、サーバ上の２つの異なるデータベースに記憶される。
【００５８】
サーバデータベースは、ショップに対応する実在ショップの地理的位置情報を記録し、これらの実在ショップの地理的位置情報は、既存のポジショニングプラットフォーム上のライトウェイトディレクトリアクセスプロトコル（ＬＤＡＰ）サーバから、記録された実在ショップの住所情報を使用して取得される。
【００５９】
一部の実施形態では、ステップ２４０において、サーバは、発見された対象情報をモバイル端末ユーザのモバイル端末に提供する。
【００６０】
一例では、サーバは、モバイル端末の地理的位置を円の中心とし、地理的位置ゾーン閾値を円の半径として有する区域内の製品又は業者に注目（留意）する。この区域内の製品又は業者は、対象情報の候補に相当する。サーバは、次いで、対象情報をユーザのモバイル端末に提供し、対象情報を例えばリストとして、又はマップ上のマーカポイントとしてモバイル端末のクライアント上に表示する。
【００６１】
したがって、モバイル端末を介して無線ネットワーク又はモバイルネットワークを使用しているユーザが、無線ショッピングを行っているときに、ユーザが興味を持っている製品又は業者のショップの実在位置を取得するために地理的位置を活用する場合、それらの実在位置は、異なる必要情報に対応する異なるゾーン閾値に基づいて取得される。したがって、ユーザは、その近隣にある実在ショップを検索する際に、無線ショッピングに対するその要望を、より柔軟に満たされる。
【００６２】
図３は、対象情報を検索する方法の一実施形態を示す図である。方法３００は、図２の操作２３０を実行に移したものである。方法３００は、以下を含む。
【００６３】
ステップ３１０では、サーバは、発見された対象情報に対応する既定の活動期間を取得する。
【００６４】
ステップ３２０では、サーバは、活動期間が現時刻を含む対象情報を、音声通信要件を満足させる対象情報であると見なす。
【００６５】
一部の実施形態では、活動期間が現時刻を含む対象情報を、音声通信要件を満足させる対象情報であると見なすことは、現時刻が対象情報の活動期間内であるかどうかを判定することを含む。現時刻が対象情報の活動期間内である場合、対象情報は、音声通信要件に見合った対象情報である。音声通信要件に見合うということは、活動期間中における音声通信を許可することを意味する。
【００６６】
一部の実施形態では、サーバは、必要情報に対応する地理的位置ゾーン閾値内に入るものとして発見された対象情報の製品情報又は業者情報のうちの業者が音声通信モードであるかどうかに基づいて、音声通信モードにある提供者についての対象情報の選択を行う。サーバは、音声通信モードにある対象情報を再発見した後、当該対象情報をモバイル端末クライアントに提供する。一部の実施形態では、サーバは、音声通信モードにある対象情報をモバイル端末クライアントに提供し、また、提供者によって提供される残りの対象情報もモバイル端末クライントに提供する。一部の実施形態では、サーバは、対象情報に順序を付ける。例えば、サーバは、音声通信モードにある対象情報をリストの先頭に挙げ、残りの対象情報をリストの下位に挙げる。続いて、サーバは、順序を付けられた対象情報のリストをモバイル端末クライアントに送信し、モバイル端末クライアントは、順序を付けられた対象情報のリストをユーザに対して表示する。
【００６７】
一部の実施形態では、上述された方法３００を用いることによって、サーバは、音声伝達モードにあるショップを選択し、ユーザに対して情報を表示する。したがって、ユーザは、より優れた体験を得られる。
【００６８】
一部の実施形態では、操作２４０は、追加の検索を通じて発見された、音声伝達モードが音声通信モードにある提供者によって提供される対象情報を、モバイル端末ユーザのモバイル端末に提供することに、置き換えられる。
【００６９】
一部の実施形態では、操作２４０は、追加の検索を通じて発見された、音声伝達モードが音声通信モードにある提供者によって提供される対象情報と、被提供者によって提供される残りの対象情報とに順序を付け、順序を付けられたこれらの対象情報をモバイル端末ユーザのモバイル端末に提供することに、置き換えられる。
【００７０】
上記の例は、主に、ユーザが、そのモバイル端末上のショッピングウェブサイトクライアントを通じてどのように位置情報サービスリクエストをサーバに送信するか、及びユーザの必要情報の実在位置をどのように検索又は取得するかを説明している。一部の実施形態では、サーバは、様々なタイプの情報に関係した実在位置を積極的にプッシュする。例えば、或る時点で、サーバは、一部のユーザの実在位置情報に基づいて、製品割引情報を積極的にユーザに知らせる。この製品割引情報は、モバイル端末クライントに送信される。例えば、サーバは、必要情報を取得する前に、プッシュを必要とする様々なユーザを積極的に取得する。サーバは、次いで、各ユーザに対応する必要情報をデータベースから取得する。例えば、サーバが、飲食に関係した割引情報を一群の提供者にプッシュする場合、それらの操作は、上述された実施形態における操作と同じである。サーバは、各ユーザの地理的位置情報と、飲食について設定された地理的位置ゾーン閾値とに基づいて、これらの地理的位置ゾーン閾値内に入る全ての業者情報をユーザのクライアントにプッシュする。一部の実施形態では、ユーザのクライアントは、ユーザの必要情報をユーザごとに特化させてもいる。例えば、ユーザＡの必要情報が飲食及び衣料である場合、ユーザＡは、必要情報が属している最も詳細なカテゴリレベルのカテゴリレベル用に取得された地理的位置ゾーン閾値を取得する。サーバは、地理的位置ゾーン閾値内に入る飲食及び衣料の対象情報を、専用のサービスユーザのクライアントに提供する。また、一部の実施形態では、ユーザは、ユーザが希望する個々の必要情報に対応する地理的位置ゾーン閾値も特化させている。例えば、地理的位置ゾーン閾値の修正を求めるリクエストが、サーバに送信される。したがって、同じカテゴリレベルでも、ユーザごとに異なる地理的位置ゾーン閾値を保存することが可能であり、したがって、異なるユーザは、異なる地理的位置ゾーン閾値内の製品情報又は業者情報を取得することができる。
【００７１】
図５は、地理的位置に基づく情報検索システムの一実施形態を示す構造図である。このシステム５００は、取得ユニット５１０と、探索ユニット５２０と、検索ユニット５３０と、提供ユニット５４０と、受信ユニット５５０と、データベース検索ユニット５６０とを含む。
【００７２】
取得ユニット５１０は、モバイル端末ユーザに対応する必要情報及び地理的位置情報を取得する。
【００７３】
探索ユニット５２０は、必要情報に基づいて、必要情報に対応する既定の地理的位置ゾーン閾値を探索する。
【００７４】
検索ユニット５３０は、モバイル端末ユーザの地理的位置情報と、既定の地理的位置ゾーン閾値とに基づいて、地理的位置ゾーン閾値内に入る、必要情報に対応する対象情報を検索する。
【００７５】
一部の実施形態では、受信ユニット５５０は、モバイル端末ユーザによって送信された位置情報サービスリクエストを受信する。位置情報サービスリクエストは、キーワードを含む。
【００７６】
取得ユニット５１０は、更に、位置情報サービスリクエストからキーワードを抽出し、モバイル端末ユーザに対応する必要情報を取得するために上記キーワードに基づいてローカルデータベースを照会する、又は上記キーワードをモバイル端末ユーザに対応する必要情報として確立する。
【００７７】
一部の実施形態では、データベース検索ユニット５６０は、必要情報に基づいて、必要情報に対応する製品情報をデータベース中で検索し、複数のカテゴリへの製品情報の分類に基づいて、必要情報に対応する、製品タイプに関係する必要情報を取得する。例えば、キーワードがコカコーラ、又は製品タイプを示さないその他の何らかのブランド名称である場合、データベース検索ユニット５６０は、更に、製品タイプに関係する必要情報を取得する。例えば、上記の実施形態における説明を参照するとよい。
【００７８】
提供ユニット５４０は、選択された対象情報を、モバイル端末ユーザのモバイル端末に提供する。
【００７９】
一部の実施形態では、受信ユニットは、モバイル端末によって送信された位置情報サービスリクエストメッセージを受信する。例えば、クライアントは、ユーザがモバイル端末のポジショニングサービスクライアントをアクティブにする結果として、又はユーザがポジショニングサービスクライアント上の「最寄り」、「近隣」、若しくは「すぐ近く」などの機能ボタンをクリックする結果として、位置情報サービスリクエストを積極的に発行する。一部の実施形態では、位置情報サービスリクエストの発行は、モバイル端末に、位置情報サービスリクエストをポジショニングサーバに送信させる。このような状況では、システム５００は、位置情報サービスリクエストを受信した後、クライアント用に事前に定められた必要情報をデータベースのなかで発見する。例えば、システムとユーザとの間には、デフォルト設定が存在する。ユーザが位置情報サービスリクエストを発行する場合、位置情報サービスリクエストがターゲットにしているユーザの必要情報は、業者カテゴリ情報（エンターテイメント、ショッピング、若しくは飲食）、又は飲料、衣料、若しくはデジタル機器などの様々なタイプの製品情報である。別の例では、ユーザは、ポジショニングサービスクライアント上に提供された閲覧機能に基づいて、近隣にある何らかの製品情報、業者情報、割引情報、及びその他の同様な情報を閲覧する。ユーザは、カテゴリにしたがって位置情報サービスリクエストを発行する。例えば、ユーザは、クライアントページ上の情報カテゴリリストを選択し、衣料−婦人服−セータを閲覧して「セータ」カテゴリをクリックし、位置情報サービスリクエストをシステムに発行する。この時点で、位置情報サービスリクエストは、例えば製品カテゴリ情報「セータ」などのユーザの情報を含む。したがって、ユーザに対応する必要情報は、システムが事前にユーザとの間で合意に達しているカテゴリ情報である、又はユーザに対応する情報は、ユーザによって発行された位置情報サービスリクエストに含まれる。
【００８０】
位置情報サービスリクエストを受信した後、取得ユニット５１０は、必要情報を、データベースから又は送信された位置情報サービスリクエストから取得し、ユーザの地理的位置を、地理的位置情報を提供する既存のポジショニングサーバなどのサーバから取得する。
【００８１】
一部の実施形態では、探索ユニット５２０は、カテゴリレベル決定ユニット５２１０と、閾値探索ユニット５２２０とを含む。
【００８２】
カテゴリレベル決定ユニット５２１０は、必要情報が属している最も詳細なカテゴリレベルのカテゴリレベルを決定する。
【００８３】
閾値探索ユニット５２２０は、必要情報との対応関係を実現するために、最も詳細なカテゴリレベルのカテゴリレベルに基づいて、最も詳細なカテゴリレベルのカテゴリレベルに対応する既定の地理的位置ゾーン閾値を探索する。
【００８４】
一部の実施形態では、取得ユニット５１０が必要情報を取得する場合、取得ユニット５１０は、必要情報に基づいて、対応する地理的位置ゾーン閾値を探索する。必要情報は、エンターテイメント、ショッピング、飲食、及びその他の様々な業者カテゴリ情報、又は様々なタイプの製品情報である。製品情報は、飲料、衣料、及びデジタル機器である。例えば、ユーザは、雑貨又はセータなどのショッピングウェブサイトカテゴリを閲覧し、位置情報サービスリクエストを発行する。必要情報は、雑貨又はセータである。この時点で、カテゴリレベル決定ユニット５２１０は、必要情報に基づいて、当該必要情報が属している最も詳細なカテゴリレベルのカテゴリレベルを決定する。カテゴリレベルの例が、データベースのなかの対応表（表１及び表２を参照せよ）に示されている。例えば、雑貨は、レベル１カテゴリに属している。閾値探索ユニット５２２０は、レベル１カテゴリ：雑貨に基づいて、１，５００メートルに対応する地理的位置ゾーン閾値を取得する。必要情報がセータである場合、カテゴリレベル決定ユニット５２１０は、必要情報が属している最も詳細なカテゴリレベルのカテゴリレベルがレベル３カテゴリ：セータであると決定する。閾値探索ユニット５２２０は、レベル３カテゴリ：セータに基づいて、２，０００メートルに対応する地理的位置ゾーン閾値を取得する。
【００８５】
別の例では、ユーザは、ユーザが希望する製品情報を検索するために、ウェブサイトにアクセスしているクライアント上に提供された検索ボックスを使用する。例えば、ユーザは、検索ボックスに「１００％果汁桃ジュース」を入力する。この時点で、モバイル端末を介して位置情報サービスリクエストが送信される。この位置情報サービスリクエストは、必要情報として「１００％果汁桃ジュース」を含む。受信ユニット５５０が位置情報サービスリクエストを受信した後、取得ユニット５１０は、必要情報として「１００％果汁桃ジュース」を取得する。先ず最初に、データベースのなかの対応表を使用し、探索ユニット５２０のカテゴリレベル決定ユニット５２１０は、「１００％果汁桃ジュース」がどのレベル１カテゴリに属しているかを決定する。例えば、「１００％果汁桃ジュース」は、レベル１カテゴリ：雑貨に属している。カテゴリレベル決定ユニット５２１０は、次いで、「１００％果汁桃ジュース」が属しているレベル２カテゴリを決定する。例えば、「１００％果汁桃ジュース」は、レベル２カテゴリ：飲料に属している。次いで、カテゴリレベル決定ユニット５２１０は、「１００％果汁桃ジュース」がどのカテゴリ３レベルに属しているかを決定する。カテゴリレベル決定ユニット５２１０が、対応するレベル３カテゴリを発見できなかった場合、「１００％果汁桃ジュース」が属している最も詳細なカテゴリレベルのカテゴリレベルは、レベル２である。したがって、閾値探索ユニット５２２０は、３００メートルなどの、カテゴリレベル２：飲料に対応する地理的位置ゾーン閾値を選択する。飲料は、レベル２カテゴリである。要するに、表１の第２行目の記録に対応する記録された地理的位置ゾーン閾値が、必要情報に対応しており、必要情報である１００％果汁桃ジュースの対象情報飲料に対応する地理的区域を提供する。
【００８６】
一部の実施形態では、表１及び表２に示されるように、例えば必要情報が属しているカテゴリレベルなどの、様々な製品カテゴリ又は業者情報に対応付けて地理的位置ゾーン閾値を記憶することに、重点が置かれている。必要情報に対応するこれらの地理的位置ゾーン閾値は、ユーザごとに個別の設定を有する。例えば、ユーザＡ及びユーザＢは、異なる権限レベルを有するユーザである。したがって、ユーザＡ及びユーザＢのために設定される地理的位置ゾーン閾値は、それぞれ異なる。要するに、データベースには、ユーザごとに特化された対応表が記録されて存在している。データベース対応表は、例えば、ユーザ情報と、カテゴリレベル１、２、及び３に分割された製品情報又は商品情報などのカテゴリ分けされた内容と、対応する地理的位置ゾーン閾値とを記録している。一部の実施形態では、例えば必要情報などの様々な製品情報又は業者情報に対応する地理的位置ゾーン閾値は、どのユーザに対しても一様に設定されている。
【００８７】
最初に、システムは、出現するだろう製品又は業者の特性又は性質を、製品情報又は業者情報を複数のレベルに事前にカテゴリ分けする基準として使用する。製品及び業者は、複数のレベルに属するカテゴリレベルに分割される。例えば、雑貨に関する製品情報は、３つのカテゴリレベルに小分割される。例えば、雑貨に関係した製品情報は、レベル１カテゴリ：雑貨と、レベル２カテゴリ：飲料と、レベル３カテゴリ：炭酸飲料とに分割される。更に、レベル３カテゴリは、複数のレベル３カテゴリを含む。例えば、レベル３カテゴリは、１００％生絞りジュース、乳児用果汁飲料などを含む。したがって、システムは、現ユーザの必要情報を取得した後、例えば、製品：炭酸飲料に関する地理的位置情報を取得することを求めるメッセージを自発的に発行する。この場合、システムは、必要情報：炭酸飲料に基づいて、製品：炭酸飲料が属している最も詳細なカテゴリレベルを探索する。レベル３カテゴリ：炭酸飲料に対応する地理的位置ゾーン閾値は、１００メートルである。ユーザが、「近隣」位置情報サービスを閲覧する場合、システムによって取得される必要情報は、雑貨などの、既定の製品情報又は業者情報であり、雑貨が属している最も詳細なカテゴリレベルのカテゴリレベルは、レベル１である。対応する地理的位置ゾーン閾値は、５００ｍであり、これは、例えば、表１の第３行目に記録された地理的位置ゾーン閾値である。したがって、既定の地理的位置ゾーン閾値は、システムに記憶されている製品情報又は業者情報が既存の製品又は業者の特性及び性質に基づいてカテゴリ分けされた後に、異なるカテゴリレベルに対して設定される。要するに、異なるカテゴリレベルは、異なる地理的位置ゾーン閾値に対応している。一部の実施形態では、システムは、製品又は業者の特性及び性質に基づいてカテゴリ分けを実施する。システム上に既に登録されているショップによって提供された製品情報又は業者情報が、既存のカテゴリ分けルールにしたがってカテゴリ分けされる。複数のカテゴリレベルへの製品情報又は業者情報の分割は、当業者によって理解されており、その説明は、簡潔さを期するために省略される。
【００８８】
必要情報に属しているカテゴリレベルと、地理的位置ゾーン閾値とに関する（データベース内に維持されている）対応表において、カテゴリレベルは、複数のレベルに分割されている。カテゴリレベルが詳細であるほど、提供される地理的位置ゾーン閾値の距離も細かくなる。例えば、必要情報（例えば、「自転車の空気入れ」）が属している最も詳細なカテゴリレベルのカテゴリレベルが、雑貨（レベル１カテゴリ）である場合、雑貨に対応する地理的位置ゾーン閾値は、５００メートルである。一態様として、必要情報（例えば、「コカコーラ」）が属している最も詳細なカテゴリレベルが、炭酸飲料（レベル３カテゴリ）である場合、炭酸飲料に対応する地理的位置ゾーン閾値は、１００メートルである。したがって、データベースのなかに事前に定められたカテゴリレベル対地理的位置ゾーン閾値の対応表に基づいて、ユーザの必要情報を柔軟に使用して、ユーザの地理的位置から妥当な範囲内にある情報提供を発見することが可能である。例えば、様々な必要情報が属している様々なカテゴリレベルについて、様々な地理的位置ゾーン閾値内にある情報提供が発見される。したがって、従来の、１つの固定の範囲内のみの情報提供が回避される。
【００８９】
一部の実施形態では、検索ユニット５３０は、ユーザの地理的位置情報に対応する地理的位置を円の中心として、そして例えば１００メートルなどの地理的位置ゾーン閾値を円の半径として使用し、その範囲内にある対応する全ての必要情報、すなわち各製品の対象情報が選択される。例えば、地理的位置ゾーン閾値は、セータについては１００メートルに設定される。図４は、様々な閾値内の情報を示している。例えば、対象情報は、炭酸飲料−半径Ａ、セータ−半径Ｃなどのように設定される。ユーザにとっての必要情報が属している最も詳細なカテゴリレベルは、地理的位置ゾーン閾値範囲内にある対象情報を選択するために使用される。選択された対象情報は、クライアントに提供される。したがって、ユーザは、柔軟に情報を提供される。ユーザは、その地理的位置を中心とした固定の範囲内にある対象情報のみを必ずしも受信するとは限らない。
【００９０】
一部の実施形態では、ユーザは、クライアントを介してサーバ上においてカテゴリレベルに対応する地理的位置ゾーン閾値を設定する。要するに、受信ユニット５５０は、モバイル端末によって発行された、地理的位置ゾーン閾値の修正を求めるリクエストを受信することもある。要するに、ユーザは、希望する対象情報を取得するために、モバイル端末クライアント上において具体的な閾値を設定する。例えば、ユーザは、商業活動が盛んな区域にいるときは、飲料のためのゾーン閾値を減少させる。このような減少は、ユーザにとっての利便性を向上させる。システムは、地理的位置ゾーン閾値の修正を求めるリクエストを受信した後、修正された値を対応表に記憶させる。
【００９１】
検索ユニット５３０は、モバイル端末の地理的位置を中心とし、地理的位置ゾーン閾値を半径として有する区域内において、対象情報として考えられる候補を求めて製品又は業者を検索する。提供ユニット５４０は、次いで、ユーザのモバイル端末に対象情報を提供し、モバイル端末のクライント上に対象情報を表示する。例えば、対象情報は、リストとして又はマップ上にマーカポイントを記したものとしてクライアント上に提示される。製品に関係した地理的位置情報をクライアント上に表示することは、これらの製品を販売している具体的な実在ショップの地理的位置を提供することと同じことである。具体的な実在ショップに関係する地理的位置情報をユーザのモバイル端末クライアント上に表示することは、当業者によって理解されており、その更なる議論は、簡潔さを期するために省略される。
【００９２】
一部の実施形態では、取得ユニット５１０は、また、発見された対象情報から音声通信要件を満足させる対象情報を取得し、発見された対象情報に対応する既定の活動期間を取得する。
【００９３】
取得ユニット５１０は、また、活動期間が現時刻を含んでいる対象情報を、音声通信要件を満足させる対象情報として含む。
【００９４】
検索ユニット５３０は、また、音声伝達モードが音声通信モードである提供者によって提供される対象情報を検索する。
【００９５】
要するに、取得ユニット５１０は、必要情報に対応する地理的位置ゾーン閾値内に入る対象情報の製品情報又は業者情報のうちの業者が音声通信モードであるかどうかに基づいて、提供者についての対象情報の更なる選択を行う。システムは、音声通信モードにあるこの対象情報を発見した後、当該対象情報をモバイル端末クライアントに提供する。一部の実施形態では、システムは、音声通信モードにある対象情報をモバイル端末クライアントに提供し、また、提供者によって提供される残りの対象情報もモバイル端末クライントに提供する。一部の実施形態では、サーバは、情報に順序を付ける。音声通信モードにある対象情報は、リストの先頭に挙げられ、残りの対象情報は、リストの下位に挙げられる。次いで、取得ユニット５１０は、順序を付けられた対象情報のリストをモバイル端末クライアントに送信し、そこで、順序を付けられた対象情報のリストは、ユーザに対して表示される。
【００９６】
したがって、情報は、柔軟にユーザに提供される。ユーザは、その地理的位置を中心とした固定の範囲内にある対象情報を受信することを求められない。
【００９７】
上述されたユニットは、１つ以上の汎用プロセッサ上で実行されるソフトウェアコンポーネントとして、又はプログラマブルロジックデバイス及び／若しくは特定の機能を実施するように設計された特殊用途向け集積回路などのハードウェアとして、又はそれらの組み合わせとして実装することができる。一部の実施形態では、ユニットは、本発明の実施形態で説明される方法を（パソコン、サーバ、ネットワーク機器などの）計算装置に実行させるための幾つかの命令を含み尚且つ（光ディスク、フラッシュストレージデバイス、モバイルハードディスクなどの）不揮発性のストレージ媒体に記憶させることができるソフトウェア製品の形で具現化することができる。ユニットは、１つのデバイスに実装されてよい、又は複数のデバイスに分散されてよい。ユニットの機能は、互いに合体されてよい、又は複数の小ユニットに更に分割されてよい。
【００９８】
本明細書で開示された実施形態に照らして説明された方法又はアルゴリズム的段階は、ハードウェア、プロセッサによって実行されるソフトウェアモジュール、又はこれら両方の組み合わせを使用して実現することができる。ソフトウェアモジュールは、ランダムアクセスメモリ（ＲＡＭ）、メモリ、読み出し専用メモリ（ＲＯＭ）、電気的にプログラム可能なＲＯＭ、電気的に消去可能でプログラム可能なＲＯＭ、レジスタ、ハードドライブ、着脱式ディスク、ＣＤ−ＲＯＭ、又は当該技術分野で知られるその他の任意の形態のストレージ媒体にインストールすることができる。
【００９９】
以上の実施形態は、理解を明瞭にする目的で幾らか詳細に説明されてきたが、本発明は、提供された詳細に限定されない。本発明を実現するには、多くの代替的手法がある。開示された実施形態は、例示的であり、限定的ではない。
適用例１：地理的位置に基づく情報検索方法であって、
１つ以上のプロセッサを使用して、モバイル端末ユーザに対応する必要情報及び地理的位置情報を取得し、
前記１つ以上のプロセッサを使用して、前記必要情報と、既定の地理的位置ゾーン閾値とカテゴリ情報とを対応付けている事前に構成されたマッピングと、に基づいて、既定の地理的位置ゾーン閾値を探索し、
前記１つ以上のプロセッサを使用して、前記モバイル端末ユーザの前記地理的位置情報と、前記既定の地理的位置ゾーン閾値と、に基づいて、前記必要情報に対応する対象情報を検索すること、
を備える情報検索方法。
適用例２：適用例１に記載の、地理的位置に基づく情報検索方法であって、
前記必要情報に基づいて、既定の地理的位置ゾーン閾値を探索することは、
前記必要情報が属している最も詳細なカテゴリレベルのカテゴリレベルを決定し、
前記最も詳細なカテゴリレベルのカテゴリレベルに対応する既定の地理的位置ゾーン閾値を探索すること、
を含む、情報検索方法。
適用例３：適用例１に記載の、地理的位置に基づく情報検索方法であって、更に、
モバイル端末ユーザに対応する必要情報及び地理的位置情報を取得する前に、前記モバイル端末ユーザによって送信された位置情報サービスリクエストを受信することを備え、前記位置情報サービスリクエストは、第１の端末に対応する必要情報を示すキーワードを含む、情報検索方法。
適用例４：適用例３に記載の、地理的位置に基づく情報検索方法であって、
前記モバイル端末ユーザに対応する必要情報を取得することは、
前記位置情報サービスリクエストから前記キーワードを抽出し、
前記モバイル端末ユーザに対応する必要情報を前記キーワードに基づいて取得するために、サーバのローカルデータベースを照会すること、
を含む、情報検索方法。
適用例５：適用例３に記載の、地理的位置に基づく情報検索方法であって、
前記モバイル端末ユーザに対応する必要情報を取得することは、
前記位置情報サービスリクエストから前記キーワードを抽出し、
前記キーワードを、前記モバイル端末ユーザに対応する必要情報として確立すること、
を含む、情報検索方法。
適用例６：適用例１に記載の、地理的位置に基づく情報検索方法であって、更に、
前記モバイル端末ユーザの前記地理的位置情報と、前記既定の地理的位置ゾーン閾値と、に基づいて、前記必要情報に対応する既定の地理的位置ゾーン閾値を探索した後であって、前記地理的位置ゾーン閾値内に入る、前記必要情報に対応する対象情報を検索する前に、
前記必要情報に基づいて、データベース中で製品情報を検索し、
前記発見された製品情報をカテゴリに分類し、
前記カテゴリに基づいて、前記必要情報に対応する、製品タイプに関係する必要情報を取得すること、
を備える情報検索方法。
適用例７：適用例１に記載の、地理的位置に基づく情報検索方法であって、更に、
前記モバイル端末ユーザの前記地理的位置情報と、前記既定の地理的位置ゾーン閾値と、に基づいて、前記地理的位置ゾーン閾値内に入る前記必要情報に対応する対象情報を検索した後に、前記発見された対象情報から、音声通信要件を満足させる対象情報を取得することを備える情報検索方法。
適用例８：適用例７に記載の、地理的位置に基づく情報検索方法であって、
前記発見された対象情報から、音声通信要件を満足させる対象情報を取得することは、
前記発見された対象情報に対応する既定の活動期間を取得し、
現時刻を含む活動期間を有する対象情報を、前記音声通信要件を満たす対象情報であると見なすこと、
を含む、情報検索方法。
適用例９：適用例１に記載の、地理的位置に基づく情報検索方法であって、更に、
前記モバイル端末によって送信された、前記地理的位置ゾーン閾値の修正を求めるリクエストを受信することを備える情報検索方法。
適用例１０：適用例１に記載の、地理的位置に基づく情報検索方法であって、更に、
前記モバイル端末ユーザの前記地理的位置情報と、前記既定の地理的位置ゾーン閾値と、に基づいて、前記必要情報に対応する対象情報を検索した後に、前記発見された対象情報を、前記モバイル端末ユーザのモバイル端末に提供することを備える情報検索方法。
適用例１１：地理的位置に基づく情報検索システムであって、
少なくとも１つのプロセッサであって、
モバイル端末ユーザに対応する必要情報及び地理的位置情報を取得し、
前記必要情報と、既定の地理的位置ゾーン閾値とカテゴリ情報とを対応付けた事前に構成されたマッピングと、に基づいて、既定の地理的位置ゾーン閾値を探索し、
前記モバイル端末ユーザの前記地理的位置情報と、前記既定の地理的位置ゾーン閾値と、に基づいて、前記必要情報に対応する対象情報を検索するように構成されている少なくとも１つのプロセッサと、
前記少なくとも１つのプロセッサに接続され、前記少なくとも１つのプロセッサに命令を提供するように構成されているメモリと、
を備える、
情報検索システム。
適用例１２：適用例１１に記載の、地理的位置に基づく情報検索システムであって、
前記必要情報に基づいて、既定の地理的位置ゾーン閾値を探索することは、
前記必要情報が属している最も詳細なカテゴリレベルのカテゴリレベルを決定し、
前記最も詳細なカテゴリレベルのカテゴリレベルに対応する既定の地理的位置ゾーン閾値を探索すること、
を含む、情報検索システム。
適用例１３：適用例１１に記載の、地理的位置に基づく情報検索システムであって、
前記少なくとも１つのプロセッサは、前記モバイル端末ユーザに対応する必要情報及び地理的位置情報を取得する前に、前記モバイル端末ユーザによって送信された位置情報サービスリクエストを受信するように構成され、前記位置情報サービスリクエストは、第１の端末に対応する必要情報を示すキーワードを含む、情報検索システム。
適用例１４：非一時的なコンピュータ読み取り可能ストレージ媒体に実装された、地理的位置に基づいて情報を検索するためのコンピュータプログラム製品であって、
モバイル端末ユーザに対応する必要情報及び地理的位置情報を取得するためのコンピュータ命令と、
前記必要情報と、既定の地理的位置ゾーン閾値とカテゴリ情報とを対応付けた事前に構成されたマッピングと、に基づいて、既定の地理的位置ゾーン閾値を探索するためのコンピュータ命令と、
前記モバイル端末ユーザの前記地理的位置情報と、前記既定の地理的位置ゾーン閾値と、に基づいて、前記必要情報に対応する対象情報を検索するためのコンピュータ命令と、
を備えるコンピュータプログラム製品。
適用例１５：適用例１４に記載の、地理的位置に基づいて情報を検索するためのコンピュータプログラム製品であって、
前記必要情報に基づいて、既定の地理的位置ゾーン閾値を探索することは、
前記必要情報が属している最も詳細なカテゴリレベルのカテゴリレベルを決定すること、
前記最も詳細なカテゴリレベルのカテゴリレベルに対応する既定の地理的位置ゾーン閾値を探索すること、
を含む、コンピュータプログラム製品。
適用例１６：適用例１４に記載の、地理的位置に基づいて情報を検索するためのコンピュータプログラム製品であって、更に、
前記モバイル端末ユーザに対応する必要情報及び地理的位置情報を取得する前に、前記モバイル端末ユーザによって送信された位置情報サービスリクエストを受信することを備え、前記位置情報サービスリクエストは、第１の端末に対応する必要情報を示すキーワードを含む、コンピュータプログラム製品。
【図１】
0006051295.tif 000004
【図２】
0006051295.tif 000005
【図３】
0006051295.tif 000006
【図４】
0006051295.tif 000007
【図５】
0006051295.tif 000008